(57)【要約】【課題】  従来の土壌消毒方法は、薬剤を利用しない消毒法として殆ど設備が重量大のため装置を固定して、ホースを土壌中に引きまわして熱を土壌中に浸透させ、消毒することが必然となっていて、ホース敷設、ボイラーによる熱湯の作成（熱水の場合は熱水の量の確保）によって大量のエネルギーを要し、また準備作業が人員と時間の面で相当な負担となっている。解決しようとする問題点は、準備作業の省略、設備の軽量化と移動容易化による高速で経済的な土壌消毒である。【解決手段】  エンジンのついた耕運機にドラム状の加熱容器を取りつけた構造で、移動を続けながら耕した土壌の一定深さを取り込み加熱処理し、連続的に排出・移動を繰り返すことで広い面積の土壌消毒を高速で行ない、冷却後耕作可能とする。【選択図】      図１
2006166835.tif 000002
【特許請求の範囲】
【請求項１】
密閉に近い容器の中に消毒する土壌を取り込み、該容器内へ火炎または熱風を放射して容器内温度を高め、遅い速度で回転するスクリュー羽根上にある土壌が加熱消毒されることを特徴とする土壌消毒を行なう装置。
【請求項２】
前記密閉に近い容器の中へ連続して新しい土壌を取り込み、加熱消毒の完了した土壌を順次放出しながら設定された畝を作成することを特徴とする請求項１に記載の土壌消毒装置
【請求項３】
前記密閉に近い容器は移動できる耕運機機能と動力源と車輪を装備したものであることを特徴とする請求項１に記載の土壌消毒装置
【発明の詳細な説明】
【技術分野】
【０００１】
本発明は、土壌を消毒して作物に有害な細菌類を死滅させて土壌を再生させること。
【背景技術】
【０００２】
土壌中に存在し作物に害を与える病害菌や土壌センチュウによる不作をもたらす要因を取り除くために、従来から臭化メチルを使用してきた。しかしフロン、ハロンと同様にオゾン層破壊の原因物質として廃止が決定したこともあり、代替薬品としてはクロルピクリン剤が推奨されている。土壌くん蒸剤として用いるには、土壌に穴をあけクロルピクリン剤を埋め込みポリエチレンシートで覆い被せる。このまま１０日から１５日放置し、その後前記シートを取り除いてから１０日から１５日ガス抜きと称する放置期間を必要とし、消毒後２０日から３０日後に作付け作業が行なえるようになる。地温が低い場合は更に日数を要し１ヵ月以上のことが多い。またクロルピクリン錠剤は３５個／ｍ２を標準としているため埋め込み作業機が必要で、シートで畑を覆い、取り外しと手間のかかる仕事となっている。
【０００３】
薬剤を使用することを嫌って徐々に増加している蒸気消毒は、特許文献１の様に土壌を良く耕して溝を掘り布目ホースを敷設、覆土した後土壌表面にポリエチレンシートで覆い被せる。そのホースへ片方から蒸気を通し地中に放熱して消毒を行なう。人
手と時間のかかる前後作業があって煩わしいと言われている。一方ホースの敷設をしないスパイク法が小規模消毒で行なわれている。これは耕した土壌中にスパイクを突き刺し先端から蒸気を地中に噴出して消毒し、次々スパイクを移動して実施する方法である。またバッチ式で構成された蒸気消毒機の例では１．３ｍ３の土壌を１１０分かけて処理しているが３０ｃｍ巾・深さ２０ｃｍの畝１０ｍを作るのに約１時間程度要する。
【０００４】
近年注目を集め実施されつつあるのが熱水消毒法で、特許文献２にもある様に散湯ホースを敷設し耐熱ポリシートで全体を覆い８５℃〜９５℃の熱湯を注入する。使用する熱湯の量は１５０Ｌ〜２００Ｌ／ｍ２にもなり、広い農地では大量の水が利用される。水は農業用水、池水、河川水、井戸水等特に指定はないが、水源の確保と熱水を作るための大量のエネルギーが必要である。
【特許文献１】特開２００１−１４８９４９号公報
【特許文献２】特開２００１−３２７２３９号公報
【発明の開示】
【発明が解決しようとする課題】
【０００５】
薬剤を利用しない消毒法は殆ど設備が重量大のため固定されて、ホースを土壌中に引きまわして消毒することが必然となっていて、ホース敷設、ボイラーによる熱湯の作成（熱水の場合は熱水の量の確保）の準備作業が人員と時間の面で相当な負担となっている。解決しようとする問題点は、準備作業の省略、設備の軽量化と移動容易化である。
【課題を解決するための手段】
【０００６】
本発明は、土壌を耕しながら移動し消毒対象土壌量を即座に加熱消毒し、採取した場所に戻し畝を作って冷却後直ちに利用可能とする。
【発明の効果】
【０００７】
本発明の装置は水を必要とせず、直接土壌を耕し改質することが可能で、準備作業が不必要であり、高速な土壌改良装置として利用できる。
【発明を実施するための最良の形態】
【０００８】
簡単な構造説明をすれば、エンジンのついた耕運機にドラム状の加熱容器を取りつけ、移動を続けながら耕した土壌の一定深さを取り込み加熱処理し、連続的に排出・移動を繰り返すことで広い面積の土壌消毒を高速で行ない、即耕作可能とする。
【実施例】
【０００９】
図１は、本発明装置の１実施例の概念図である。耕運機の後部に土壌加熱部のドラム状加熱容器を積み込んだものを示している。耕運機のロータで耕した土をバケットで掬い上げホッパーまで運び投入する。前記過熱容器内で加熱を完了した土は下部へ排出し畝を作っていく。ここで移動、耕し、土の掬い上げ、加熱のためのエネルギーの必要な作業は全てエンジン用石油またはガソリンおよび発電された電力を利用する。
【００１０】
移動できる本発明の装置で、畑の中へ入り運転して耕し、消毒し、畝作りを同時に行なうために小型、軽量である必要があり加熱容器は特に縦型とするのが都合良い。装置全体の長さが短くなることで軽量化ができ、畑の中での方向転換時に便利となるためである。加熱容器は短くしなければならないが、図２に示した様に内部は遅い速度で回転している多数のスクリュー状羽根で構成される。該羽根の上で土はゆっくりと加熱され十分に消毒が行なわれて排出される。
【００１１】
加熱容器の内部は温度センサで設定された温度を監視し、調節して全体に必要な消毒の温度を保つ様制御される。試作での内部温度の各部測定値は最低９０℃であった。円筒筐体には下部と中央にバーナーを設置し内部を加熱しているが、バーナー付近では３００℃近くまで温度上昇する部分がある。
【００１２】
スクリュー状羽根の回転速度は０．５ｒｐｍから２ｒｐｍの可変となっている。１ｒｐｍでは有効直径５０ｃｍ（スクリュー直径１ｍ）のため最小の土の速度は１．５ｍ／分、１０枚の羽根を経過するのに１０分掛かる。バケットから加熱容器への土の投入量は６０ｃｍ巾×１０ｃｍ深さを削り取って掬い上げるとすると１５ｍ／１０分で０．９ｍ３となる。採集断面積６０ｃｍ×１０ｃｍは処理後の排出土を３０ｃｍ巾２０ｃｍ高さの畝を作ることを前提としている。この場合従来の約１／９の時間で作業できる。当然畝の大きさが異なる時は投入量（巾×深さ）を変え、回転速度を変えなければならないことは言うまでも無い。主に土壌の採集量によって加熱時間を増減しなければならない為である。
【００１３】
加熱容器内部のスクリュー羽根構造は図３のような一部切断された円形構造で一回転以内に次の段へ移すため円筒筐体から突き出した固定羽根１４（図４）によって土を落す切欠き１３がある。また一段毎に該切欠きはズレており、次の段を通り越さない様配慮された位置に設定されている。
【００１４】
土壌を耕しバケットによって必要量の土を取り込む場合に、土の含水量や土質によって土塊の大きさや流動性が異なる。粘土質の土塊ではホッパーに投入する前段階で粉砕して粒度を揃える必要が有る。図示してないが耕運機ロータとバケット間に一定時間間隔で地面を叩く土塊粉砕板または簡単な構造の櫛状の粉砕器を設置すると良い。粘土質の土壌では降雨の後、数日経て土壌の乾燥度を判断して作業をすることが本作業を迅速にする上で有効である。
【産業上の利用可能性】
【００１５】
連作を嫌う野菜の産地では最も緊急に対策を期待している件であり、作業開始準備を要しない本発明の迅速な土壌改良作業は早急な実用化が望まれている。
【図面の簡単な説明】
【００１６】
【図１】本発明の装置概略説明図である。
【図２】本発明のドラム状の加熱容器説明図である。
【図３】スクリュー羽根の構造図
【図４】スクリュー羽根と固定羽根の位置関係図
【符号の説明】
【００１７】
１    消毒前の土壌投入方向
２    ホッパー
３    ドラム状の加熱容器
４    搬送用のスクリュー羽根
５    スクリューシャフト
６    温度センサ
７    バーナー
８    本体固定アングル
９    消毒済み土壌排出方向
１０  スクリュー駆動モーター
１１  土壌を掬い上げるバケット
１２  耕運機のロータ
１３  スクリュー羽根の切り欠き
１４  固定羽根
【図１】
2006166835.tif 000003
【図２】
2006166835.tif 000004
【図３】
2006166835.tif 000005
【図４】
2006166835.tif 000006